(57)【要約】  この通信装置は、アドレス情報を生成するアドレス生成部と、アドレス生成部が生成したアドレス情報を有する他の通信装置からの応答を要求する応答要求を送信する応答要求送信部と、応答要求に対する応答を受信しなかった場合、アドレス生成部が生成したアドレス情報を自装置のアドレス情報として設定するアドレス設定部とを備え、アドレス生成部は、応答要求に対する応答を受信した場合、前回生成したアドレス情報と異なるアドレス情報を生成する。
2012086571.tif 000002
【特許請求の範囲】
【請求項１】
他の通信装置と接続することで管理ネットワークを構成する通信装置であって、
アドレス情報を生成するアドレス生成部と、
前記アドレス生成部が生成したアドレス情報を有する他の通信装置からの応答を要求する応答要求を送信する応答要求送信部と、
前記応答要求に対する応答を受信しなかった場合、前記アドレス生成部が生成したアドレス情報を自装置のアドレス情報として設定するアドレス設定部と、
を備え、
前記アドレス生成部は、前記応答要求に対する応答を受信した場合、前回生成したアドレス情報と異なるアドレス情報を生成する通信装置。
【請求項２】
前記アドレス生成部は、一方向関数を用いて、自装置に固有の装置固有情報から前記アドレス情報を生成し、
前記応答要求送信部が送信した応答要求に対する応答を受信しなかった場合に前記一方向関数を変更する変更部を備える請求項１に記載の通信装置。
【請求項３】
自装置と直接接続する他の通信装置にアドレス決定部が決定したアドレス情報を送信するアドレス送信部と、
前記直接接続する他の通信装置から前記他の通信装置のアドレス情報を受信する隣接アドレス受信部と、
前記隣接アドレス受信部が受信したアドレス情報を隣接アドレス記憶部に記録する隣接アドレス記録部と、
前記管理ネットワークの管理を行う管理装置から、自装置と直接接続する他の通信装置のアドレス情報を要求する隣接アドレス通知要求を受信した場合に、前記隣接アドレス記憶部が記憶するアドレス情報を前記管理装置に送信する隣接アドレス通知部と、
を備える請求項１に記載の通信装置。
【請求項４】
他の通信装置と接続することで管理ネットワークを構成する通信装置を用いた通信装置の設定方法であって、
アドレス生成部は、アドレス情報を生成し、
応答要求送信部は、前記アドレス生成部が生成したアドレス情報を有する他の通信装置からの応答を要求する応答要求を送信し、
前記アドレス生成部は、前記応答要求に対する応答を受信した場合、前回生成したアドレス情報と異なるアドレス情報を生成し、
アドレス設定部は、前記応答要求に対する応答を受信しなかった場合、前記アドレス生成部が生成したアドレス情報を自装置のアドレス情報として設定する通信装置の設定方法。
【請求項５】
他の通信装置と接続することで管理ネットワークを構成する通信装置のコンピュータを、
アドレス情報を生成するアドレス生成部、
前記アドレス生成部が生成したアドレス情報を有する他の通信装置からの応答を要求する応答要求を送信する応答要求送信部、
前記応答要求に対する応答を受信しなかった場合、前記アドレス生成部が生成したアドレス情報を自装置のアドレス情報として設定するアドレス設定部として機能させ、
前記アドレス生成部は、前記応答要求に対する応答を受信した場合、前回生成したアドレス情報と異なるアドレス情報を生成するプログラム。
【発明の詳細な説明】
【技術分野】
【０００１】
本発明は、他の通信装置と接続することで管理ネットワークを構成する通信装置、通信装置の設定方法及びプログラムに関する。
【背景技術】
【０００２】
基幹系の通信装置（無線基地局装置に接続される光通信装置や無線通信装置など）を機能させるためには、各通信装置に対して主信号関係の初期設定（ＯＳＩ（Ｏｐｅｎ  Ｓｙｓｔｅｍｓ  Ｉｎｔｅｒｃｏｎｎｅｃｔｉｏｎ）参照モデルにおける物理層の設定）を行う必要がある。通信装置の初期設定は、作業者が架前端末を通信装置に接続し、その架前端末を介して通信装置に対して主信号関係の設定を行う。このような通信装置は基本的に一対一通信を行うものであり、アドレス情報を用いずに通信が行われる。【０００３】
また、各通信装置を管理するためには、それらの通信装置を構成要素とする管理ネットワークを作成し、その管理ネットワークに管理装置（ＮＭＳ：Ｎｅｔｗｏｒｋ  Ｍａｎａｇｅｍｅｎｔ  Ｓｙｓｔｅｍ）を接続し、各通信装置との通信を行う必要がある。しかし、通信装置に対する主信号関係の初期設定時には、管理ネットワークの初期設定は実施されないことが多い。この理由としては、設定に必要な技術スキルが異なること、管理ネットワークの管理部門が通信装置の初期設定を行う管理部門と異なることが多いこと、また管理ネットワークで用いるアドレス情報を主信号の通信に用いないことが挙げられる。なお、一般的には、装置の設置工事とともに主信号関係の最低限の初期設定を実施しておき、その後運用開始のタイミングで管理ネットワークの初期設定を実施することが多い。【０００４】
このため、各通信装置を構成要素とする管理ネットワークを構成する場合、各通信装置の設置と主信号関係の初期設定が完了した後で、管理者が各通信装置に割り当てるアドレス情報を決定する。その後、作業者が再度通信装置の設置場所に赴き、アドレス情報の設定など、管理ネットワークの初期設定を実施する。管理ネットワークの初期設定が完了した時点からは通信装置から遠隔地に設置した管理装置から通信装置の設定を実施することが可能となり、通信装置の運用が開始される。【０００５】
なお、特許文献１、２には、通信装置にアドレス情報を設定する方法が開示されている。
【先行技術文献】
【特許文献】
【０００６】
【特許文献１】特開２００１−３１８９４３号公報
【特許文献２】特開２００６−１３５５０７号公報
【発明の概要】
【発明が解決しようとする課題】
【０００７】
上述したように、主信号と管理ネットワークの初期設定を別のタイミングで実施する場合、国や大陸などに広範囲に設置された装置設置場所に複数回作業者を派遣する必要があり、効率が悪いという問題がある。
特許文献１、２に記載されたアドレス情報の設定方法は、何れもサーバ装置を備えている。そして、これらの場合では、アドレス情報の決定及びアドレス情報の重複を検出するためにそれらのサーバ装置を用いている。しかしながら、サーバ装置を用いてアドレス情報を設定するには、通信装置の設置前にサーバ装置の設定を行う必要がある。そして、サーバ装置が故障した場合にアドレス情報の設定ができなくなってしまうという問題がある。
【課題を解決するための手段】
【０００８】
本発明は上記の課題を解決するためになされたものである。すなわち、自装置と異なる他の通信装置と接続することで管理ネットワークを構成する通信装置であって、アドレス情報を生成するアドレス生成部と、前記アドレス生成部が生成したアドレス情報を宛先として応答要求を送信する応答要求送信部と、前記応答要求に対する応答を受信しなかった場合、前記アドレス生成部が生成したアドレス情報を自装置のアドレス情報として設定するアドレス設定部とを備え、前記アドレス生成部は、前記応答要求に対する応答を受信した場合、前回生成したアドレス情報と異なるアドレス情報を生成することを特徴とする。【０００９】
また、本発明は、他の通信装置と接続することで管理ネットワークを構成する通信装置を用いた通信装置の設定方法であって、アドレス生成部は、アドレス情報を生成し、応答要求送信部は、前記アドレス生成部が生成したアドレス情報を宛先として応答要求を送信し、前記アドレス生成部は、前記応答要求に対する応答を受信した場合、前回生成したアドレス情報と異なるアドレス情報を生成し、アドレス設定部は、前記応答要求に対する応答を受信しなかった場合、前記アドレス生成部が生成したアドレス情報を自装置のアドレス情報として設定することを特徴とする。【００１０】
また、本発明は、他の通信装置と接続することで管理ネットワークを構成する通信装置のコンピュータを、アドレス情報を生成するアドレス生成部、前記アドレス生成部が生成したアドレス情報を宛先として応答要求を送信する応答要求送信部、前記応答要求に対する応答を受信しなかった場合、前記アドレス生成部が生成したアドレス情報を自装置のアドレス情報として設定するアドレス設定部として機能させ、前記アドレス生成部は、前記応答要求に対する応答を受信した場合、前回生成したアドレス情報と異なるアドレス情報を生成することを特徴とする。
【発明の効果】
【００１１】
本発明によれば、アドレス生成部が生成したアドレス情報を応答の宛先とした応答要求に対する応答が返ってこない場合に、その生成されたアドレス情報を自装置のアドレス情報に決定する。これにより、管理ネットワークにサーバ装置を備えずとも、通信装置のみで管理ネットワークを構築することができる。
【図面の簡単な説明】
【００１２】
【図１】本発明の一実施形態による通信装置を備える管理ネットワークの構成図である。
【図２】本発明の一実施形態による通信装置の構成を示す概略ブロック図である。
【図３】本発明の一実施形態における通信装置の動作を示すフローチャートである。
【発明を実施するための形態】
【００１３】
以下、図面を参照しながら本発明の実施形態について詳しく説明する。
図１は、本発明の一実施形態による通信装置１０を備える管理ネットワークの構成図である。
管理ネットワークは、複数の通信装置１０−１〜１０−９（以下、通信装置１０−１〜１０−９を総称する場合は通信装置１０と表記する）と管理装置３０によって構成される。通信装置１０は、それぞれ架前端末２０−１〜２０−９（以下、架前端末２０−１〜２０−９を総称する場合は架前端末２０と表記する）からの主信号関係の設定を受け付ける。
【００１４】
通信装置１０は、主信号を用いて直接接続された他の通信装置１０（または、自装置以外の通信装置１０。以下、隣接装置と表記する）と通信を行う。なお、通信装置１０は、主信号のオーバーヘッドを用いることによって、通信装置１０の保守管理を行うための管理ネットワークを構成する。
架前端末２０は、通信装置１０の初期設定を行う際に用いる端末である。架前端末２０は、初期設定が完了した後は通信装置１０との接続を切断しても良い。
管理装置３０は、各通信装置１０の状態を監視する装置である。管理装置３０は、通信装置１０の通信における主信号のオーバーヘッドを用いて各通信装置１０の状態をチェックする。
【００１５】
次に、通信装置１０の構成について説明する。
図２は、本発明の一実施形態による通信装置１０の構成を示す概略ブロック図である。
通信装置１０は、装置固有情報記憶部１０１、アドレス生成部１０２、応答要求送信部１０３、応答受信部１０４、変更部１０５、アドレス設定部１０６、アドレス記憶部１０７、アドレス送信部１０８、隣接アドレス受信部１０９、隣接アドレス記憶部１１０、隣接アドレス通知部１１１、応答部１１２を備えている。
【００１６】
装置固有情報記憶部１０１は、通信装置１０毎に固有に割り当てられた装置固有情報を記憶する。なお、装置固有情報としては、例えばＭＡＣアドレス、装置のシリアル番号、製造番号などを用いることができる。後述する処理によって自動生成するアドレスが重複する確率が少ないように、装置固有情報は、各装置で異なる値をもつものとすることが好ましい。
アドレス生成部１０２は、予め定められた一方向関数の引数として装置固有情報記憶部１０１が記憶する装置固有情報を用いることで、アドレス情報を生成する。アドレス情報としては例えばＩＰアドレスを用いる。
【００１７】
応答要求送信部１０３は、アドレス生成部１０２が生成したアドレス情報と応答要求を、隣接装置に送信する。その隣接装置（別の通信装置１０）は、応答要求を受信すると、生成されたアドレス情報と同じアドレス情報を有しているか判断し、同じアドレスを有する場合、その応答供給に対して応答する。なお、その隣接装置は、アドレス生成部１０２が生成したアドレス情報と同じアドレス情報を有しないと判定した場合、その応答要求を更に他の隣接装置に送信する。すなわち、応答要求送信部１０３は、アドレス生成部１０２が生成したアドレス情報を有する自装置以外の通信装置１０からの応答を要求する応答要求を送信する。
応答受信部１０４は、応答要求送信部１０３が応答要求を送信した後の一定時間の間、応答要求に対する応答を受け付ける。
変更部１０５は、応答受信部１０４が応答要求に対する応答を受信した場合に、アドレス生成部１０２に異なるアドレス情報を生成させる指示を出力する。
【００１８】
アドレス設定部１０６は、応答受信部１０４が一定時間の間に応答要求に対する応答を受信しなかった場合に、アドレス生成部１０２が生成したアドレス情報を、自装置のアドレス情報として設定し、アドレス記憶部１０７に記録する。
アドレス記憶部１０７は、自装置のアドレス情報を記憶する。
アドレス送信部１０８は、アドレス記憶部１０７が記憶するアドレス情報を隣接装置に送信する。
隣接アドレス受信部１０９は、隣接装置からその隣接装置のアドレス情報を受信し、隣接アドレス記憶部１１０に記録する。
隣接アドレス記憶部１１０は、隣接装置のアドレス情報を記憶する。
隣接アドレス通知部１１１は、管理装置３０から隣接装置のアドレス情報の送信要求を受け付け、隣接アドレス記憶部１１０が記憶するアドレス情報を管理装置３０に送信する。
応答部１１２は、他の通信装置１０から送信された応答要求を受信し、アドレス記憶部１０７が記憶するアドレス情報と受信した応答要求が示すアドレス情報とが一致する場合に、応答を発する。なお、応答部１１２は、異なるアドレス情報であると判定した場合、受信した応答要求を隣接装置に送信する。
【００１９】
なお、本実施形態では、管理ネットワークの通信媒体として、主信号通信用の媒体を利用する。主信号通信用の媒体には、光ファイバー、ＬＡＮケーブル、無線などの種類が存在し、主信号通信の技術に応じて主信号媒体を管理ネットワークに利用する方法が規定されている。例えば、ＳＯＮＥＴ（Ｓｙｎｃｈｒｏｎｏｕｓ  Ｏｐｔｉｃａｌ  ＮＥＴｗｏｒｋ）／ＳＤＨ（Ｓｙｎｃｈｒｏｎｏｕｓ  Ｄｉｇｉｔａｌ  Ｈｉｅｒａｒｃｈｙ）のＤＣＣ（Ｄａｔａ  Ｃｏｍｍｕｎｉｃａｔｉｏｎ  Ｃｈａｎｎｅｌｓ）、ＯＴＮ（Ｏｐｔｉｃａｌ  Ｔｒａｎｓｐｏｒｔ  Ｎｅｔｗｏｒｋ）のＧＣＣ（Ｇｅｎｅｒａｌ  Ｃｏｍｍｕｎｉｃａｔｉｏｎ  Ｃｈａｎｎｅｌｓ）、Ｅｔｈｅｒｎｅｔ（登録商標）のＶＬＡＮ（Ｖｉｒｔｕａｌ  ＬＡＮ）の利用などが挙げられる。
【００２０】
次に、通信装置１０の動作について説明する。
図３は、通信装置１０の動作を示すフローチャートである。
通信装置１０が設置され、作業者による主信号関係の初期設定が終了し、起動トリガが与えられると、通信装置１０は、起動処理を実行する（ステップＳ１）。通信装置１０が起動すると、アドレス生成部１０２は、アドレス情報の自動付与が必要か否かを判定する（ステップＳ２）。アドレス情報の自動付与が不要な場合としては、以前にアドレス情報の自動付与が完了している場合や、作業者が明示的にアドレス設定を実施した場合が挙げられる。具体的には、アドレス生成部１０２は、アドレス記憶部１０７に既にアドレス情報が記憶されている場合に、アドレス情報の自動付与が不要であると判定する。
【００２１】
アドレスの自動付与が必要であると判定した場合（ステップＳ２：ＹＥＳ）、アドレス生成部１０２は、装置固有情報記憶部１０１から装置固有情報を取得し、予め定められた一方向関数の引数として取得した装置固有情報を用いることで、アドレス情報を生成する（ステップＳ３）。なお、アドレス情報の範囲については、本方式を適用した通信装置１０が通信可能となるように予め設定しておく。なお、この情報は、工場出荷時の設定などにより予め設定されていることが好ましい。例えば、装置固有情報が、シリアル番号「１２３４５ＡＢＣ」であり、アドレスの設定範囲がＩＰｖ４アドレスの「１９２．１６８．１．１」〜「１９２．１６８．１．２５５」の範囲が指定されていた場合、アドレス生成部１０２は、「１９２．１６８．１．１１９」をアドレス情報として生成する。なお、このアドレス情報は例であり、一方向関数の引数として与えられた値により変化する。
【００２２】
自動付与するアドレス情報が決定すると、応答要求送信部１０３は、決定されたアドレス情報と同じアドレス情報を有する他の通信装置１０からの応答を要求する応答要求を、隣接装置に送信する（ステップＳ４）。応答受信部１０４は、応答要求送信部１０３が送信した応答要求に対する応答の受信を待機する。このとき、応答受信部１０４は、応答要求送信部１０３が応答要求を送信した時刻からの経過時間を計時する（ステップＳ５）。
【００２３】
応答受信部１０４は、他の通信装置１０からの応答を受信したか否かを判定する（ステップＳ６）。他の通信装置１０から応答を受信していない場合（ステップＳ６：ＮＯ）、応答受信部１０４は、計時している経過時間が所定の時間を超えたか否かを判定する（ステップＳ７）。経過時間が所定の時間を超えていない場合（ステップＳ７：ＮＯ）、ステップＳ６に戻り、応答の受信を待機する。
【００２４】
他方、経過時間が所定の時間を超えた場合（ステップＳ７：ＹＥＳ）、アドレス生成部１０２が生成したアドレス情報が他の通信装置１０に付与されていないものであると判定する。そして、アドレス設定部１０６は、生成されたアドレス情報を自装置のアドレスに設定し、またその設定したアドレス情報をアドレス記憶部１０７に記録する（ステップＳ８）。これにより、通信装置１０は、管理ネットワークを介して他の装置と通信することができる。
【００２５】
また、ステップＳ６において他の通信装置１０から応答を受信した場合（ステップＳ６：ＹＥＳ）、応答受信部１０４は、内部メモリに記憶する応答の受信回数に１を加算する（ステップＳ９）。次に、応答受信部１０４は、応答の受信回数が所定の回数（例えば、１０回）を超えたか否かを判定する（ステップＳ１０）。応答の受信回数が所定の回数を超えていないと判定した場合（ステップＳ１０：ＮＯ）、変更部１０５は、アドレス生成部１０２にアドレス情報の変更を指示する。これにより、アドレス生成部１０２は、前回と異なるアドレス情報を生成する（ステップＳ１１）。２回以降のアドレス生成時に、アドレス生成部１０２は、装置固有情報記憶部１０１が記憶する装置固有情報を用いずにアドレス情報を生成する。例えば、前回のアドレス情報に１を加算する方法や、ランダムにアドレス情報を決定する方法を用いると良い。そして、ステップＳ４に戻り、応答要求の送信を行う。
また、応答の受信回数が所定の回数を超えたと判定した場合（ステップＳ１０：ＹＥＳ）、アドレス設定部１０６は、作業者によるアドレス情報の入力を受け付け、入力されたアドレス情報を自装置のアドレスに設定し、また設定したアドレス情報をアドレス記憶部１０７に記録する（ステップＳ１２）。
【００２６】
ステップＳ８またはステップＳ１２でアドレス設定部１０６がアドレス情報の設定及びアドレス記憶部１０７への記録を行った場合、またはステップＳ２でアドレスの自動付与が不要で有ると判定した場合（ステップＳ２：ＮＯ）、アドレス送信部１０８は、アドレス記憶部１０７が記憶するアドレス情報を隣接装置に送信する（ステップＳ１３）。このとき、隣接装置は、通信装置１０からアドレス情報を受信すると、受信したアドレス情報を記録すると共に、その受信した隣接装置のアドレス情報を通信装置１０に送信する。
隣接アドレス受信部１０９は、隣接装置から受信したアドレス情報を、隣接アドレス記憶部１１０に記録する（ステップＳ１４）。この処理によって、管理ネットワーク上に存在するアドレス情報を取得し、管理装置３０や架前端末２０からのアクセスを可能とする。隣接装置のアドレス情報の取得方法としては、例えばＬＬＤＰ（Ｌｉｎｋ  Ｌａｙｅｒ  Ｄｉｓｃｏｖｅｒｙ  Ｐｒｏｔｏｃｏｌ）やＰＰＰ（Ｐｏｉｎｔ  ｔｏ  Ｐｏｉｎｔ  Ｐｒｏｔｏｃｏｌ）を用いることができる。
【００２７】
以上の処理を実行することで、通信装置１０は、自装置にアドレス情報を付与し、また隣接装置のアドレス情報を記憶することができる。
【００２８】
上記処理手順を用いて、実際にネットワーク全体として管理ネットワークのアドレス設定がどのように実施されるかを、図１を用いて説明する。
図１において、まずは通信装置１０−１〜１０−３について架前端末２０−１〜２０−３を用いて主信号関係の初期設定を実施する。まず、作業者は、通信装置１０−１の主信号関係の初期設定を実施する。このとき、作業者は、主信号のオーバーヘッド等を用いた監視回線の設定も同時に実施する。そして、通信装置１０−１は、装置固有情報からアドレス情報を生成する。この時点では通信装置１０−１以外に管理ネットワークに接続された通信装置１０が存在しないため、アドレス情報の重複はなく、通信装置１０−１は、自装置のアドレス情報を決定することができる。
【００２９】
次に、作業者は、通信装置１０−２の主信号関連の初期設定を実施する。このとき、作業者は、主信号のオーバーヘッド等を用いた監視回線の設定も同時に実施する。そして、通信装置１０−２は、装置固有情報からアドレス情報を生成する。通信装置１０−２は管理ネットワーク（この時点では通信装置１０−１と通信装置１０−２とによって構成される）に対して、決定したアドレス情報に対する応答要求を送信する。通信装置１０−２は、他の通信装置１０からの応答がなければアドレス情報の重複はないと判断し、先に決定したアドレス情報を自装置のアドレス情報に設定する。他方、決定したアドレス情報に対する応答要求に対して応答があった場合はアドレス情報を変更して、再度重複の有無をチェックする。通信装置１０−２にアドレス情報が設定されると、通信装置１０−２は、通信装置１０−１にアドレス情報を通知し、また通信装置１０−１からアドレス情報を取得する。
【００３０】
同様に、通信装置１０−３についても装置固有情報から自動付与するアドレス情報を生成し、重複チェックを経て、アドレス情報を設定する。通信装置１０−３は通信装置１０−２にアドレス情報を通知し、また通信装置１０−２のアドレス情報を取得する。以上の手順により通信装置１０−１〜１０−３の間で管理ネットワークの構築が完了した。この時点で、管理装置３０が通信装置１０−３と接続すると、管理装置３０から通信装置１０−３のアドレス情報を指定して、通信装置１０−３に接続することができる。さらに管理装置３０は、通信装置１０−３の隣接装置のアドレス情報を要求する隣接アドレス通知要求を送信すると、通信装置１０−３の隣接アドレス通知部１１１が、隣接アドレス記憶部１１０が記憶するアドレス情報を管理装置３０に送信する。これにより、管理装置３０は、通信装置１０−３の隣接装置である通信装置１０−２のアドレス情報を知ることができる。同様に、管理装置３０は、通信装置１０−２に隣接アドレス通知要求を送信することで通信装置１０−１のアドレス情報を知ることができる。したがって管理装置３０は、管理ネットワークを構成する全ての通信装置１０にアクセスすることが可能となる。
【００３１】
また、通信装置１０−１〜１０−３の初期設定後、しばらくネットワークを運用してから、架前端末２０−４〜２０−６を用いて通信装置１０−４〜１０−６の主信号関係の初期設定を実施したとする。このとき通信装置１０−４〜１０−６においても、上記の通信装置１０−１〜１０−３と同様にアドレス情報の設定が実施される。このとき、通信装置１０−４〜１０−６に付与されるアドレス情報は、通信装置１０−１〜１０−３のアドレス情報も含めて重複チェックが実施されるため、各通信装置１０に付与されるアドレス情報は重複しない。管理装置３０は、通信装置１０−１の隣接装置のアドレス情報を参照することで通信装置１０−６のアドレス情報を知ることができる。同様に通信装置１０−６から隣接装置のアドレス情報を辿ることで、通信装置１０−４、１０−５のアドレス情報も知ることができる。以上より、通信装置１０３０は、通信装置１０−１〜１０−６のすべてにアクセスすることができる。
【００３２】
通信装置１０−７〜１０−９についても、通信装置１０−４〜１０−６と同様の処理によって管理ネットワークに追加することができる。自動付与されるアドレス情報は、通信装置１０−１〜１０−６も含めて重複チェックすることとなるため、管理ネットワーク全体としてアドレスは重複しない。また、管理装置３０は通信装置１０−３の隣接装置のアドレス情報を参照することで、通信装置１０−７〜１０−９のアドレス情報を知ることができる。
以上の手順により、図１に示すネットワークの主信号関係の初期設定を実施することで、自動的に管理ネットワークの初期設定（アドレス情報の設定）が完了し、遠隔地にある管理装置３０からネットワーク上のすべての通信装置１０へのアクセスが可能となる。
【００３３】
このように、本実施形態によれば、アドレス生成部１０２が生成したアドレス情報を宛先とした応答要求に対する応答が返ってこない場合に、その生成されたアドレス情報を自装置のアドレス情報に決定する。これにより、管理ネットワークにサーバ装置を備えずとも、通信装置１０のみで管理ネットワークを構築することができる。
特に、本実施形態によれば、アドレス生成部１０２は、初めのアドレス情報を、装置固有情報を一方向関数の引数として得られた値を用いて決定する。これにより、他の通信装置１０と重複する可能性が低いアドレス情報を初めに生成することができる。
【００３４】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、アドレス情報の自動付与が完了して管理装置３０からすべての通信装置１０にアクセス可能となった後で、実運用前に管理者が選択した管理ネットワークのアドレス体系を再度設定しなおすことも可能である。
このように、本実施形態では、自動付与したアドレス情報を実運用前に管理装置３０から通信装置１０へのアクセスのみに利用し、実運用での管理ネットワークのアドレス情報は、ユーザが選択したものを手動により設定することができるので、管理ネットワークに任意のアドレス体系でアドレス情報を設定したいという管理者の要望に対応することができる。
【００３５】
なお、本実施形態では、変更部１０５が、応答受信部が応答を受信した場合にアドレス生成部１０２に異なるアドレスを生成させるよう指示することで、アドレス生成部１０２が前回生成したアドレス情報と異なるアドレス情報を生成する例を説明したが、これに限られず、他の方法によってアドレス生成部１０２が前回生成したアドレス情報と異なるアドレス情報を生成するようにしても良い。例えば、変更部１０５が、アドレス生成部１０２が予め記憶する一方向関数を他の一方向関数に書き換えることで、アドレス生成部１０２が前回生成したアドレス情報と異なるアドレス情報を生成するようにしても良い。また、例えばアドレス生成部が装置固有情報を種として発生させた乱数をアドレス情報に用いても良い。
【００３６】
上述の通信装置１０は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがその配信されたプログラムを実行するようにしても良い。
【００３７】
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
本願は、２０１０年１２月２２日に、日本に出願された特願２０１０−２８５８３９号に基づき優先権を主張し、その内容をここに援用する。
【産業上の利用可能性】
【００３８】
管理ネットワークにサーバ装置を備えずに、通信装置のみで管理ネットワークを構築することができる。
【符号の説明】
【００３９】
１    ハンドスキャナハウジング
１０    通信装置
１０−１    通信装置
１０−２    通信装置
１０−３    通信装置
１０−４    通信装置
１０−５    通信装置
１０−６    通信装置
１０−７    通信装置
１０−８    通信装置
１０−９    通信装置
２０−１    架前端末
２０−２    架前端末
２０−３    架前端末
２０−４    架前端末
２０−５    架前端末
２０−６    架前端末
２０−７    架前端末
２０−８    架前端末
２０−９    架前端末
３０    管理装置
１０１    装置固有情報記憶部
１０２    アドレス生成部
１０３    応答要求送信部
１０４    応答受信部
１０５    変更部
１０６    アドレス設定部
１０７    アドレス記憶部
１０８    アドレス送信部
１０９    隣接アドレス受信部
１１０    隣接アドレス記憶部
１１１    隣接アドレス通知部
１１２    応答部
【図１】
2012086571.tif 000003
【図２】
2012086571.tif 000004
【図３】
2012086571.tif 000005
【国際調査報告】
2012086571.tif 000006
2012086571.tif 000007